(57)【要約】【課題】早い段階で混在物を粉砕・分離処理して後処理を殆どなくすことができるようにした汚水中混在物の処理装置を提供すること。【解決手段】沈砂池や沈澱池などの処理池に凹設された擂り受部内に一端を向けて回転駆動自在に設けられた駆動軸と、同駆動軸とともに回転される回転駆動部材と、同回転駆動部材により前記擂り受部内で回転駆動される複数個の擂り回し部材とを備える。【選択図】  図２
2004314028.tif 000002
【特許請求の範囲】
【請求項１】
沈砂池やポンプ場などの処理池に凹設された擂り受部内に一端を向けて回転駆動自在に設けられた駆動軸と、同駆動軸とともに回転される回転駆動部材と、同回転駆動部材により前記擂り受部内で回転駆動される複数個の擂り回し部材とを備える汚水中混在物の処理装置。
【請求項２】
請求項１に記載のものにおいて、回転駆動部材は、プレートチェーンあるいはリンクチェーンなどの連鎖部材とされ、その先端に擂り回し部材が遠心回転自在に設けられている汚水中混在物の処理装置。
【請求項３】
請求項１に記載のものにおいて、回転駆動部材は、駆動軸に突設された突片状のものとされ、擂り回し部材は、各個独立したボール状体でなる汚水中混在物の処理装置。
【請求項４】
請求項１から３までのいずれかに記載のものにおいて、駆動軸は、パイプでなり、その下部に吸上げ口が形成されて駆動軸内を通じて処理されたものが吸上げられるようになっている汚水中混在物の処理装置。
【発明の詳細な説明】
【０００１】
【産業上の利用分野】
この発明は、沈砂池やポンプ場などに構成される汚水中混在物の処理装置に関する。
【０００２】
【従来の技術】
例えば、沈砂池の水路内には、し渣、汚砂や岩石類、有機固形物などの混在物とともに汚水が流れてくるが、その途中の段階で除塵機により大まかなし渣類は除去されるようになっている。
【０００３】
【発明が解決しようとする課題】
ところが、除塵機は完全なものでなく、可成りの混在物が除塵機を通過して次の沈澱池にそのまま持ち込まれ、後処理が大変になっていた。
【０００４】
この発明は前記課題を解決するためになされたもので、その目的とするところは、早い段階で混在物を粉砕・分離処理して後処理を殆どなくすことができるようにした汚水中混在物の処理装置を提供することにある。
【０００５】
【課題を解決するための手段】
この発明は前記課題を解決するためになされたもので、請求項１記載の発明は、沈砂池や沈澱池などの処理池に凹設された擂り受部内に一端を向けて回転駆動自在に設けられた駆動軸と、同駆動軸とともに回転される回転駆動部材と、同回転駆動部材により前記擂り受部内で回転駆動される複数個の擂り回し部材とを備える。
【０００６】
請求項２記載の発明は、請求項１に記載のものにおいて、回転駆動部材は、プレートチェーンあるいはリンクチェーンなどの連鎖部材とされ、その先端に擂り回し部材が遠心回転自在に設けられている。
【０００７】
請求項３記載の発明は、請求項１に記載のものにおいて、回転駆動部材は、駆動軸に突設された突片状のものとされ、擂り回し部材は、各個独立したボール状体でなる。
【０００８】
請求項４記載の発明は、請求項１から３までのいずれかに記載のものにおいて、駆動軸は、パイプでなり、その下部に吸上げ口が形成されて駆動軸内を通じて処理されたものが吸上げられるようになっている。
【０００９】
【発明の実施の形態】
以下、図示した実施形態を参照してこの発明を詳細に説明する。
以下の各実施形態において説明する全てのことは他の実施形態においても同様に適用されることがある。
図１および図２（図１の縦断面図）は、この発明の好適な実施形態を示す。この実施形態において１は、処理池である沈砂池で、同沈砂池１内には水路２が形成されて図の左側から右方向へ汚水が流れるようになっているとともに各図の左側方には除塵機が設置されて混在物の大きなものを除去するようにしてある。
【００１０】
除塵機の下流側には、コンクリートで一体のピット３が凹設されるとともに、そのピット３の窄まった中央位置に相当して擂り受部４が一体に嵌め込まれている。擂り受部４は、鉄・ＳＵＳ・セラミックスなどの材料で擂鉢状に形成されている。同擂り受部４は、底部４ａと上向きに拡がるように立ち上がる擂り受面４ｂとを丸くなったコーナー部４ｃとを介して連設したものである。この擂り受部４はコンクリートでピット３に一体のものでもよい。
【００１１】
水路２上には、梁５が横架されるとともにこの梁５を介して上下に長い軸受筒６が垂直に取り付けられている。この軸受筒６は、外筒体とその内部上下に配した転がり軸受（図示省略）とでなり、同軸受筒６内を通じて丸パイプ製の駆動軸７が回転自在に設けられている一方、同駆動軸７の下端は、底部４ａ上の中央に固定した下部軸受体８により回転自在に支持されている。そして、駆動軸７の下端は、既処理物の吸い込み口９になっており、また、駆動軸７の上端には、図示しない駆動源が設けられている。吸い込み口９は、駆動軸７の下端外周に貫通状に配してもよく、また、駆動軸７の下端面と外周の双方に設けてもよい。駆動軸７は四角など角型でもよい。
【００１２】
駆動軸７の下部外周には、プレートチェーン型をした回転駆動部材１０が周位複数個所で上下数段（図示では各段が一対で上下に合計６段）をなして固定され、遠心力により延びるようにされている。そして、これら回転駆動部材１０の先端には、それぞれ擂り回し部材１１が取り付けられている。これら擂り回し部材１１は、中実状の鉄球やＳＵＳ球、あるいはセラミックス球などで作製されている。擂り回し部材１１は、内部が鉄球で外部がセラミックスにしたものでもよく、中実状でなく肉厚状の中空球にしてもよい。
【００１３】
これらでなる装置は、駆動軸７を１２００ｒｐｍ／ｍｉｎ（１秒で１回転でもよい）前後で図１の実線矢印方向に強制駆動されるとともに、図２の矢印×のように上流側から汚水中の混在物が流れ込んでくる。一定時間後に破線矢印のように逆回転させたりまたその後に正回転させたりしてもよい。この回転方向はこれに限定されない。実線矢印方向に駆動軸７を回転駆動させると、遠心力により回転駆動部材１０が延びるとともに各擂り回し部材１１が擂り受部４の面４ｂを擦るように摺動する。これにより、図２の実線矢印×のように流入する混在物のうち、汚砂はそれにしつこく付着した雑多なものが分離するだけでなくさらに細かく粉砕処理され、岩石類にあっては叩きおよび押し潰されたりこすり潰されたりして微細化する。排泄物などのような有機固形物にあっても押し潰しやこすり潰しにより非常に細粒化処理される。
【００１４】
一定時間擂り回し動作をしたあとには、擂り受部４内に溜まる処理物が吸い込み口９を通じて上方のポンプにより吸上げられる。そして、回転駆動中にあっては、非常に細かく浮上しやすいものにあっては図２の仮想線矢印Ｙのように勝手に浮上して下流側へ流れてゆくことになる。
【００１５】
尚、擂り受部４内の底域にはしつこいものが固結化する場合もあるが、これらに対しては駆動軸７下端から噴射されるエアーおよび／または水が当て付けられて固結化が解かれる。これらに加えて電磁波や超音波などを選択的に印加することもできる。回転駆動部材１０は、プレートチェーンであるがそのプレートピンが垂直である場合のほか水平のこともあり、また、傾斜状のこともある。
【００１６】
さらに、前記実施形態では駆動軸７内を通じて既処理物を吸上げるようにしていたが、図１の仮想線のようにピット３内に臨む水中ポンプ１２により吸上げることもできる。また、また、図１の仮想線のように、ピット３′の幅間中央に先端がくるようにして汚砂掻寄装置（図２３に示すものがその一例）用のガイドレール１３を配した場合、同ガイドレール１３と駆動軸７とは偏心関係にして干渉しないようにする。前記実施形態では処理物を吸上げるようにしたが、吸上げずに徹底して粉砕処理して下流側に流すようにすることもある。さらに、前記回転駆動部材１０は、その連結ピンに対応する孔を長孔にして延び縮み自在にしてもよい。これは図９にも示されている。
【００１７】
図３に示す実施形態は、水路１６に鉄・ＳＵＳ・セラミックスなどにより擂鉢形に形成した擂り受部１７一体埋め込みし、その底に下部軸受体１８を固定する一方、この軸受体１８に下端を支持させ上部の梁１９の上部軸受体２０に上部を回転支持させて駆動軸２１を設け、同駆動軸２１を駆動源２２および伝達手段２３を介して正逆に回転駆動自在とする。
【００１８】
駆動軸２１の上下間には、下向き流れを閉止するチェックバルブ２４を補強材２５とともに内装し、駆動軸２１の上端には、回転ジョイント２６を介して固定パイプ２７を接続してポンプ２８で既処理物を吸上げるようにしたものである。
【００１９】
駆動軸２１の下部外周には、上下複数段に円板３０…を配して下方にゆくに従って直径が小さくなるものとし、その外周を介してリンクチェーンである回転駆動部材３１を備えるとともに、同部材３１の先端にそれぞれ擂り回し部材３２…を配備して遠心回転するようにしたものである。円板３０は、回転駆動中の中間処理物が上方へはみ出さないようにするとともに回転が停止した際にも流入する混在物が吸込み口３３…に入り込まないようなカバーとして機能するだけでなく、回転駆動部材３１が回転停止あるいは低速回転になった際にその垂れ下がりにより上下の回転駆動部材３１同士がもつれ合ったりしないようにするために機能する。
【００２０】
尚、回転を止めて既処理物を吸上げる際には、垂直面でなる吸込み筒であると、吸込み口３３…に擂り回し部材３２が吸い付くことがあるが、図示のように、下向きに窄まったテーパー筒状の吸込み筒３４にしておくことで、擂り回し部材３２が吸着されにくくなる。この吸込み筒３４の外周囲には、吸込み口３３…の目詰まりを防止するためのスクレーパを固定側から延ばして配してもよい。同スクレーパは固定式でなく吸込み筒３４に相対回転自在なものでもよい。前記吸上げは、擂り回し部材３２を回転駆動中に行うこともできる。
【００２１】
尚、図４に示すように、縦軸（横軸あるいは斜め軸でもよい）状連結ピンにより連結されたプレート式チェーンにより回転駆動部材３６を構成してもよい。また、図５に示すように、駆動軸３８の下端外周にテーパー状吸込み筒３９を配してもよく、この場合、同筒３９上に未処理物や既処理物などが溜まらないように逆テーパーのカバー４０を備えてもよい。さらに、図６に示すように、吸込み筒４２を駆動軸４３の下端にストレート状のものとして設け、同筒４２の外周に吸込み口４４を形成するとともに、同筒４２の底面を三叉状にしてその開口を底部処理物吸引用の底面吸込み口４５として形成してもよい。
【００２２】
図７の実施形態は、駆動軸４７回りに回転駆動部材４８を介して擂り回し部材４９を備え、これを遠心回転させて擂り受部５０に沿って摺動させるようにしたものにおいて、擂り受部５０に凸部５１を形成したものである。
図８の実施形態は、逆に凹み５３を形成したものである。
これら凸部５１と凹み５３の双方を周方向に交互に配してもよい。凸部５１あるいは凹み５３は、その突出量や凹み量が一定である必要はなく、高さあるいは深さが異なるものを配列してもよい。凸部５１や凹み５３の形状も山形や台形などでもよい。
【００２３】
図９の実施形態は、駆動軸５５に回転駆動部材５６を装備するもので、同回転駆動部材５６のリンクのいずれかに長孔５７を形成してリンクが伸び縮じみするようにしたものを示している。
【００２４】
図１０の実施形態は、下部軸受体６０の軸受芯６１を先鋭状にするとともに駆動軸６２もこれに対応するテーパー状の受孔６３にしてこれら相互の嵌め合いにより回転自在に支持し、軸受芯６１の外周にＯリング６４を嵌め込んでシーリングを構成したものである。尚、駆動軸６２の下端には、既処理物や未処理物が駆動軸６２内に侵入しないように回転により外径方向へ押しやる羽根６５が付されている。
【００２５】
図１１の実施形態は、駆動軸６７回りにプレートチェーンやリンクチェーンなどの回転駆動部材６８を装備し、その先端に擂り回し部材６９を備えて遠心回転させるものにおいて、駆動軸６７の外周に受棚７０を上下数段階にかつ下向きに次第に小さい径となるように配備して各受棚７０の上に回転駆動部材６８の基部側を載せつけるようにしたもので、受棚７０が図３の実施形態と同様の機能を発揮するだけでなく、回転駆動部材６８が受棚７０に回転接触することでその間で混在物が粉砕処理されるようにしたものである。
【００２６】
図１２の実施形態は、回転駆動部材７２の先端に回転自在に擂り回し部材７３を装備したもので、擂り回し部材７３は擂り受部７４に対し相対回転する。
【００２７】
図１３の実施形態は、擂り回し部材７６を下半の半球部分のみとしたものである。
【００２８】
図１４の実施形態は、テーパー駒状の擂り回し部材７８としたものである。
【００２９】
図１５の実施形態は、駆動軸８０の下部に下向き先鋭状をしたコーン軸８１を備え、同コーン軸８１の外周に斜め下がり状をなして回転駆動部材８２を配備し、その先端に擂り回し部材８３を備えたものである。８４は下回り擂り回し部材である。
【００３０】
図１６の実施形態は、駆動軸８６に回転駆動部材８７を介して擂り回し部材８８を備え、これらを擂り受部８９内で遠心回転させるようにしたもので、擂り回し部材８８は、それ自体の表面に凸部８８ａや凹部を形成したものである。尚、ピット９０の流入側には、混在物をピット９０内へ一方的に流入させて上へ逃げないようにする制御板９１を備えてもよい。この制御板９１は、ヒンジ９２とバネ９３により一定以上の重さで下がり、下がって混在物が落ちたあとは水平に戻るようになっている。
【００３１】
図１７の実施形態は、四角あるいは丸パイプなどの駆動軸９５に回転駆動部材９６を設けるにあたって、同部材９６を斜め向きに設けて一方向への回転により混在物に下降流を与え逆方向への回転により既処理物に上昇流を与えるようにしたものである。回転駆動部材９６自体でなく、別に上下流促進羽根９７を付設してもよい。
【００３２】
図１８の実施形態は、駆動軸１００に斜め下がり軸１０１回りに円筒状の擂り回し部材１０２の一対を配備し、擂り受部１０３もこれに対応して形成して周回運動することで混在物を粉砕処理するようにしたものである。
擂り回し部材１０２の表面には凹または凸を形成してもよい。
【００３３】
図１９および図２０の実施形態は、ピット１０５内に軸受１０６で支持された駆動軸１０７を備え、これを強制回転自在とし、駆動軸１０７回りにチェーン式の回転駆動部材１０８を介して擂り回し部材１０９を横軸回転自在に備えたものである。同様に横軸周りに円筒状の擂り回し部材１１０を備えて回転駆動させてもよい。部材１１０は、中央回転体１１１との間に隙間を存してもよい。
【００３４】
図２１、図２２の実施形態は、同じく横軸の駆動軸１１４周りに前後揺動するスイングアーム１１５の下端に回転軸１１６を介して円筒状の擂り回し部材１１７を装備したものである。
【００３５】
図２３の実施形態は、ピット１１９に擂り受部１２０を設け、上部軸受１２１と下部軸受１２２で回転自在に支持され駆動源１２３と伝達手段１２４により正逆駆動されるようにしたパイプ状駆動軸１２５を備え、この駆動軸１２５は回転ジョイント１２６を介してポンプ１２７付きの固定パイプ１２８に接続する一方、駆動軸１２５の途中にはチェックバルブ１２９を備え、また駆動軸１２５の下端には吸込み口１３０を形成したものであり、特に、駆動軸１２５の外周には、突片状の回転駆動部材１３１を備え、この部材１３１により、各個独立したボール状体でなる擂り回し部材１３２…を回転運動させるようにしたものである。
【００３６】
尚、固定パイプ１２８からは、バルブを介してエアーおよび／または水を噴射して吸込み口１３０を通じて固結状態解除のために噴射するようにしてもよい。また、１３３はガイドレールで、汚砂掻寄機１３４を進退自在とするとともにスクレーパ１３５により掻き寄せるようにしたものであるが、この場合のガイドレール１３３を水路幅中央に通した場合には駆動軸１２５はこれに干渉しない位置関係にする必要がある。さらに、駆動軸１２５には、水車羽根１３６を備えておいてガイド板１３７により流れを制御した汚水の流れエネルギーで駆動軸１２５を駆動させるようにすれば、省エネルギーになる。
【００３７】
図２４の実施形態は、擂り回し部材１４０を大小異なる径のものにしたものである。大小は２種類以外にさらに多くの種類でもよい。
【００３８】
図２５の実施形態は、ピット１４２に擂り受部１４３を備えてその内部にボール状の擂り回し部材１４４を多数遊動自在としこれに駆動軸１４５側の突片１４６の回転により混在物を粉砕処理するようにするとともに、駆動軸１４５には、吸込み口１４６を形成したものであって、駆動軸１４５回りには、ステー１４７を介して固定の受皿１４８を配し、その皿１４８内にも擂り回し部材１４４を配備して駆動軸１４５側の上突片１４９により混在物を処理するようにしたものである。このように受皿１４８を上側に設けることで処理中に上方へ処理物がはみ出すことが少なくなってピット１４２内にできるだけ収まって処理を受け易くなる。１５０は落下防止網、１５１は上吸込み口１５２への流入物の吸込みを防止するカバーである。
【００３９】
図２６の実施形態は、擂り受部１５４内に設けられた擂り回し部材１５５を駆動軸１５６の突片１５７により回転遊動させるようにしたもので、さらにその上方にステー１５８で支持された固定逆皿１５９を駆動軸１５６回りに備え、この皿１５９内は、網１６０で水抜き時の落下を阻止された浮上型擂り回し部材１６１を遊動自在に入れたものである。擂り回し部材１６１は、駆動軸１５６回りの上突片１６２により回転駆動される。浮上型擂り回し部材１６１は、図２７のような球殻状のもので、外周面に金属やセラミックスなどの吹き付け材１６３を固着したものである。尚、上突片１６２に代えてチェーンでもよい。逆皿１５９の上方で駆動軸１５６回りには逆皿１５９と駆動軸１５６間の隙間から出る浮上処理物を上方からの混在物の侵入から阻止するカバー１６４を備えてもよい。なお、突片１５７のように、外周に複数設けられる場合に、全て同じ形状寸法のものにせず、異なる形状寸法など、相手である擂り回し部材１５５に変化を与え得るような構成をとることができる。また、突片１５７も傾斜させたものにすることができるし、突片は板状のものや棒状（丸や角など）のものなど各種のものを採用することができる。
【００４０】
図２８、図２９の実施形態は、擂り受部１６６内に擂り回し部材１６７を遊動自在とし、これを駆動軸１６８回りのかき回し用の突片１６９により駆動自在とするとともに、駆動軸１６８周りに平面楕円形で底面が擂り受部１６６の曲面よりも小さい径をした擂り回し部材１６９を装備したもので、この擂り回し部材１６９は、図２９のように擂り受部１６６との間に隙間を有するのでそこから混在物が入りやすくなっているものである。図２９の仮想線のように誘引孔１７０を形成してもよい。
【００４１】
図３０および図３１の実施形態は、同じく浮上型擂り回し部材を水面で浮遊するスカムの微粉砕化のために構成したものである。対象は矩形沈澱池の水面であり、この水面１７３には左側から汚水が導入されて右方向へとゆっくりと流されてゆくうちにスカムが浮上してゆき、水面下では汚泥が沈澱してゆくものである。１７４は駆動スプロケット、１７５は駆動チェーン、１７６はフライトであって、これらは池内で循環駆動されてフライト１７６が池底にくるときは沈澱した汚泥を左方向に掻き寄せる一方、フライト１７６が水面１７３にきたときには水面１７３上のスカムを矢印方向に押しやるようになっている。この駆動方式は、上下にそれぞれ２軸ずつ駆動軸があることから４軸駆動方式と呼ばれている。
【００４２】
こうした背景において、従来は、図３０の右側水面上にスカム除去装置が設置されて、これにより水面１７３のスカムを呑み込んだり停止させたりを繰り返すものとして設置されている。
【００４３】
この実施形態では、こうしたスカム除去装置を省略し、または同装置を下流側位置に併設することにより、図示したスカム処理装置１７７をフライト１７６が水平に移動する端位置から少し下流側に離れたところに設置したものである。
【００４４】
１７８は装置本体で、同本体１７８は、池幅程度に長さをもち中央がやや膨らんだ形状をしたカバー体であり、この装置本体１７８の上流側にはスカム誘引口１７９が開口し、両側のガイド板１７９ａにより側方のスカムまでも誘引するようになっている。
【００４５】
この誘引口１７９は、左右のフロート１８１により常に水面１７３上に浮上してスカムを呑み込むようになっている。１８２は装置本体１７８を上下に円滑に昇降案内させるための昇降ガイド機構である。
【００４６】
そして、装置本体１８０の左右両側には、駆動シャフト１８３が本体内に突出するようにして設けられ、これらの下端に備えたスプロケット１８４間には、チェーン１８５を介して周回するかき回し部材１８６…が設けられている。１８７は浮上型の擂り回し部材で、装置本体１８０内においてかき回し部材１８６により循環運動させられるようになっている。
【００４７】
これにより、流れくるスカムは誘引口１７９より自動的に誘引され、循環する擂り回し部材１８７とともに循環運動するようになる。スカムは擂り回し部材１８７相互間の擂り摩擦運動により微細化されるとともに、装置本体１８０に設けられたバイオ（エアーを伴うこともある）供給パイプ１８８からの微生物により処理されて処理物は沈澱することになって効果的な処理がなされる。その結果、従来のスカム除去装置は不用なものとなる。
【００４８】
図３２の実施形態も浮上型擂り回し部材１９０を分離処理槽１９１内の頂部内に多数遊動自在に装備して駆動軸１９２回りのかき回し突片１９３によりかき回すようにすることで、周胴部を通じて上向きに挿通された汚水導入パイプ１９４からのスカムを微細化して、バイオ投入パイプ１９５からの微生物にて処理するようにして、上に水が下に汚泥が沈澱分離するようにしたものである。分離した水は槽上部に開けられた排水口１９６から外部の水溜め部１９７内に排出するようにしさらに外部に排出するようにする。一方、沈殿した汚泥は下部の汚泥排出パイプ１９８より排出し、固結化する場合には強制駆動されるインペラ１９９により排出を促すようにする。尚、排水口１９６は回転するスクレーパ２００により常時清掃するものとする。
【００４９】
図３４は、沈澱池２０２を上からみたもので、並列配置されて流入渠２０３から汚水の導入される沈澱池２０２にはその下流側に連設状態のスカム除去装置２０４が設置されて矢印のように回収したスカムを水とともに分離槽２０５内に導入処理するようにする。この分離槽２０５で分離した水はマンホール２０６に、汚泥はポンプ２０７を介してピット２０８内あるいは仮想線ルートで沈澱池のより下流側に投入するようにする。
【００５０】
分離槽２０５の詳細は図３３に示す。同槽２０５は、架台２１０上に円筒体でなる槽本体２１１を搭載して構成され、同本体２１１は、上蓋２１２と底蓋２１３を備え、上蓋２１２の中央を通じて挿通された汚水導入パイプ２１４の下端から汚水が導入される。汚水は対向板２１５に当ってパイプ２１４外周の浮上誘導筒２１６内を上昇する。パイプ２１４の外部には分離誘導筒２１７が設けられ、同筒２１７の上端内部にはスカムが浮上して溜まるようにされてスカム切り筒２１８との間に形成された排水口２１９を通じてそれより外部に導出される。
【００５１】
分離誘導筒２１７の外周には分離水導出筒２２０が設けられ、同筒２２０と内部の分離誘導筒２１７との間を通じて分離水が下降するようになっている。その下降中、下方のエアー供給パイプ２２１からのエアーレーションを受けてスカムが分離水と共に下降するのが阻止されるようになっている。
【００５２】
分離水導出筒２２０の下端からの分離水は、その外部の槽本体２１１内へと流出したあと、槽本体２１１上端に設けた分離水溜め２２３に流れ出たあと、図３４のマンホール２０６へと導かれる。
【００５３】
浮上したスカムには、バイオ供給装置２２４により常時適量の微生物が投入されて処理されるようになっており、攪拌手段２２５の作用も手伝ってスカムが効果的にバイオ処理される。
【００５４】
一方、分離誘導筒２１７内を沈降する汚泥は、仕切り筒２２６内を通って槽本体２１１の下部内に沈降し、汚泥排出パイプ２２７よりポンプ２２８の力で排出される。汚泥の固結化は解除羽根２２９の駆動で解除されるようになっている。尚、汚泥導出パイプ２１４は、仮想線のように下方から挿通させる場合もある。また、スカムの浮上する域には、前記浮上型擂り回し部材を配すこともできる。
【００５５】
図３５、図３６の実施形態は、フロート２３２で水面上に上端堰部を臨ませた形にし呑み込んだスカム水を排出筒２３３およびスクリュー２３４により排出するように構成したスカム回収装置の外周に、離れたところのスカムを回収装置まで誘引するための回転アーム２３５および斜め板状の掻き寄せ板２３６を回転自在に装備したものである。
【００５６】
回転アーム２３５は、円筒型トラフ２３７から架台２３８を固定し、同架台２３８に駆動源２３９を設置して回転自在にしてある。スカム回収装置内にはインペラ２４０を配してこれを駆動源２３９で回転アーム２３５とともに回転自在にしてもよい。
【００５７】
図３７および図３８は付加的な提案例を示す。対象は矩形の沈澱池で、同沈澱池では、駆動スプロケット２４２回りのチェーン２４３によりフライト２４４が図の右方向に移動し、その際、水面２４５のスカムを右側のスカム除去装置の方へと掻き送るようになっている。しかし、フライト２４４と池の側壁２４６との間は土木の底構造の関係があって離間しているのが通例で、従って、その間のスカムはフライト２４４で掻き寄せられず滞留するのが常である。
【００５８】
そうしたスカムをこのスカム掻寄装置により掻き寄せて滞留をなくすようにしたものである。このスカム掻寄装置は、側壁２４６に多数固定したブラケット２４７によりガイドレール２４８を水面２４５上に備えている。同ガイドレール２４８は、リップ付き溝型鋼でその溝を下向きにして固定してある。ガイドレール２４８には、樹脂などの滑動容易なものでなるスライダ２４９が進退自在とされ、同スライダ２４９は、フライト２４４の移動力で図示左に前進しウエイト２５０により左に復帰するようになっている。２５１は戻りストッパである。
【００５９】
図示の状態は復帰した状態を示しており、スライダ２４９の底面には、その長手方向に離間して回転軸２５２が縦軸状に設けられている。回転軸２５２回りには、一方にスカムスクレーパ２５３が突設され、他方には連動アーム２５４が突設されており、スカムスクレーパ２５３は、その下部が水面以下に没した状態とされるとともに、連動アーム２５４は、連動リンク２５５により全て連結されている。連動アーム２５４の最も上流側のもの（図示左端のもの）は、フライト２４４の方向へ伸びており、その先端にはフライト２４４に対向するようにしてローラー２５６が垂直軸状をなして設けられている。
【００６０】
次に作用を説明するとともに付加的な説明をする。
図示の復帰状態からフライト２４４が右方向に進行してくると、そこに対向しているローラー２５６が蹴られ、図３７の仮想線のようにそれまで寝ていたスカムスクレーパ２５３が側壁２４６の方向へ立ちあがる。この立ちあがりは、連動リンク２５５を介して伝わり、他のスカムスクレーパ２５３もすべて立ち上がる。そして、フライト２４４がローラー２５６を同行することによりスライダ２４９がウエイト２５０の重さに抗して図の右方向にスライドしてゆく。これにより、水面２４５のスカムは下流側へと掻き寄せられてゆく。この際、図３８のように右方向には逃げ動作をし左方向には相手を動かすような一方向係合片２５７がガイドレール２４８から垂れ下げられており、この係合片２５７には、前進するすべてのスカムスクレーパ２５３は逃げ動作により通過してゆくことができる。
【００６０】
そして、フライト２４４が図３８のように駆動スプロケット２４２の周りを通過する時点でローラー２５６が外れる。そののち、ローラー２５６が自由になると、ウエイト２５０が作用してスライダ２４９が戻されるようになる。その復帰時に、前記一方向係合片２５７にスカムスクレーパ２５３が当ることにより同スカムスクレーパ２５３は、図３７の右端に示すように完全に寝ると同時に連動アーム２５４は上流側へ回転して戻され、フライト２４４に干渉しない状態になりながら上流方向に復帰してゆく。
【００６１】
復帰途上でのスカムスクレーパ２５３はスライダ２４９と平行な状態で復帰してゆくので、水面のスカムを掻き戻すことがない。スライダ２４９は前記平行状態で復帰してゆくが、ストッパ２５１にスライダ２４９が当って停止する少し直前にガイドレール２４８の左端に設けた姿勢制御片２５８に連動アーム２５４の先端が当ってその下部のローラー２５６がフライト２４４に対向する関係に角度制御される。その結果、ローラー２５６は次にくるフライト２４４によって蹴られる態勢になる。
【００６２】
尚、スカムスクレーパ２５３は、前記例ではスライダ２４９を境に側壁２４６側に一方的に伸びたものとされていたが、逆方向（フライト２４４に近接する方向）にも伸びたものとすると広い範囲でスカムの掻き寄せが可能となる。２５９は掻き寄せ姿勢ストッパで、フライト２４４によりローラー２５６が蹴られたときスカムスクレーパ２５３を垂直まで立ちあがらせるためのものである。このストッパ２５９は連動リンク２５５に当ることでそこで角度を規定する。また、前記実施形態では４軸駆動方式であったが、３軸駆動方式でも同様に実施する。さらに、前記ではフライト２４４の動力を利用していたが、このフライト２４４がない場合にもこの例を適用することができる。
【００６３】
【発明の効果】
この発明によれば、早い段階で混在物を粉砕・分離処理して後処理を殆どなくすことができるようにした汚水中混在物の処理装置を提供することができる。
【図面の簡単な説明】
【図１】この発明の一実施形態を示す装置平面図。
【図２】図１の縦断面図。
【図３】他の実施形態を示す縦断面図。
【図４】プレートチェーンである場合の他の実施形態を示す断面図。
【図５】他の実施形態を示す縦断面図。
【図６】他の実施形態を示す縦断面図。
【図７】他の実施形態を示す横断平面図。
【図８】他の実施形態を示す横断平面図。
【図９】他の実施形態を示す横断平面図。
【図１０】他の実施形態を示す縦断面図。
【図１１】他の実施形態を示す縦断面図。
【図１２】擂り回し部材の他の実施形態を示す正面図。
【図１３】擂り回し部材の他の実施形態を示す正面図。
【図１４】擂り回し部材の他の実施形態を示す正面図。
【図１５】他の実施形態を示す縦断面図。
【図１６】他の実施形態を示す縦断面図。
【図１７】他の実施形態を示す斜視図。
【図１８】他の実施形態を示す縦断面図。
【図１９】他の実施形態を示す縦断面図。
【図２０】図１９の横断面図。
【図２１】他の実施形態を示す縦断面図。
【図２２】図２１の横断面図。
【図２３】他の実施形態を示す縦断面図。
【図２４】擂り回し部材の他の実施形態を示す正面図。
【図２５】他の実施形態を示す縦断面図。
【図２６】他の実施形態を示す縦断面図。
【図２７】擂り回し部材の他の実施形態を示す断面図。
【図２８】他の実施形態を示す横断平面図。
【図２９】図２８の縦断面図。
【図３０】他の実施形態を示す縦断面図。
【図３１】図３０の平面図。
【図３２】他の実施形態を示す縦断模式図。
【図３３】他の実施形態を示す縦断面図。
【図３４】図３３の分離処理槽の設置例を示す平面概要図。
【図３５】他の実施形態を示す平面図。
【図３６】図３５の縦断面図。
【図３７】付加的な提案例を示す装置平面図。
【図３８】図３７のフライト側からみた縦断面図。
【符号の説明】
１‥沈砂池  ２‥水路  ３‥ピット  ４‥擂り受部  ７‥駆動軸  １０‥回転駆動部材  １１‥擂り回し部材。
【図１】
2004314028.tif 000003
【図２】
2004314028.tif 000004
【図３】
2004314028.tif 000005
【図４】
2004314028.tif 000006
【図５】
2004314028.tif 000007
【図６】
2004314028.tif 000008
【図７】
2004314028.tif 000009
【図８】
2004314028.tif 000010
【図９】
2004314028.tif 000011
【図１０】
2004314028.tif 000012
【図１１】
2004314028.tif 000013
【図１２】
2004314028.tif 000014
【図１３】
2004314028.tif 000015
【図１４】
2004314028.tif 000016
【図１５】
2004314028.tif 000017
【図１６】
2004314028.tif 000018
【図１７】
2004314028.tif 000019
【図１８】
2004314028.tif 000020
【図１９】
2004314028.tif 000021
【図２０】
2004314028.tif 000022
【図２１】
2004314028.tif 000023
【図２２】
2004314028.tif 000024
【図２３】
2004314028.tif 000025
【図２４】
2004314028.tif 000026
【図２５】
2004314028.tif 000027
【図２６】
2004314028.tif 000028
【図２７】
2004314028.tif 000029
【図２８】
2004314028.tif 000030
【図２９】
2004314028.tif 000031
【図３０】
2004314028.tif 000032
【図３１】
2004314028.tif 000033
【図３２】
2004314028.tif 000034
【図３３】
2004314028.tif 000035
【図３４】
2004314028.tif 000036
【図３５】
2004314028.tif 000037
【図３６】
2004314028.tif 000038
【図３７】
2004314028.tif 000039
【図３８】
2004314028.tif 000040